(57)【要約】【課題】セキュリティの向上を図り得る入退室管理装置を提供する。【解決手段】セキュリティの確保を必要とする保安区画に対し入退室しようとする判定対象者を撮像して、画像解析により人数を検出する第一の検出装置１，４ａ，４ｂと、判定対象者に取着したカラーバーコードを読み取って、保安区画に対し入退室しようとする判定対象者の人数を検出する第二の検出装置１，５ａ，５ｂと、第一の検出装置で検出した人数と、第二の検出装置で検出した人数が一致する場合に限り、保安区画に対する入退室を許容する扉開閉装置１，１１ａ，１１ｂを備えた。【選択図】図１
2017173890.tif 000002
【特許請求の範囲】
【請求項１】
セキュリティの確保を必要とする保安区画に対し入退室しようとする判定対象者を撮像して、画像解析により人数を検出する第一の検出装置と、
前記判定対象者に取着したカラーバーコードを読み取って、前記保安区画に対し入退室しようとする前記判定対象者の人数を検出する第二の検出装置と、
前記第一の検出装置で検出した人数と、前記第二の検出装置で検出した人数が一致する場合に限り、前記保安区画に対する入退室を許容する扉開閉装置と
を備えたことを特徴とする入退室管理装置。
【請求項２】
外部に通じる第一の入退扉と、前記保安区画に通じる第二の入退扉を備えた前室を設け、
前記第一の検出装置は、
前記第一の入退扉から前記前室に入室する前記判定対象者を撮像する第一の撮像装置と、
前記第一の撮像装置の撮像データを画像解析して、前記判定対象者の人数を検出する制御部と
を備え、
前記第二の検出装置は、
前記前室内の前記判定対象者を撮像する第二の撮像装置と、
前記第二の撮像装置の撮像データからカラーバーコードを検出して、前記前室内に位置する前記判定対象者の人数を検出する制御部と
を備え、
前記扉開閉装置は、
前記第一の検出装置で検出した人数と、前記第二の検出装置で検出した人数が一致する場合に限り、前記第二の入退扉を開く制御部を備えたことを特徴とする請求項１記載の入退室管理装置。
【請求項３】
前記第一の検出装置は、
前記保安区画から前記前室に入室する前記判定対象者を撮像する第一の撮像装置と、
前記第一の撮像装置の撮像データを画像解析して、前記判定対象者の人数を検出する制御部と
を備え、
前記第二の検出装置は、
前記前室内の前記判定対象者を撮像する第二の撮像装置と、
前記第二の撮像装置の撮像データからカラーバーコードを検出して、前記前室内に位置する前記判定対象者の人数を検出する制御部と
を備え、
前記扉開閉装置は、
前記第一の検出装置で検出した人数と、前記第二の検出装置で検出した人数が一致する場合に限り、前記第一の入退扉を開く制御部と
を備えたことを特徴とする請求項２記載の入退室管理装置。
【請求項４】
前記制御部は、前記保安区画に対し入退室した前記判定対象者のＩＤ情報を前記カラーバーコードにより検出して格納する記憶部を備えたことを特徴とする請求項２又は３記載の入退室管理装置。
【請求項５】
セキュリティの確保を必要とする保安区画に対し入退室しようとする判定対象者を撮像して、第一の検出装置で画像解析により人数を検出し、前記判定対象者に取着したカラーバーコードを読み取って、前記保安区画に対し入退室しようとする前記判定対象者の人数を第二の検出装置で検出し、前記第一の検出装置で検出した人数と、前記第二の検出装置で検出した人数が一致する場合に限り、前記保安区画への入退室を許容することを特徴とする入退室管理方法。
【発明の詳細な説明】
【技術分野】
【０００１】
この発明は、特定の保安区画への人の入室及び退室を管理する入退室管理装置及び入退室管理方法に関するものである。
【背景技術】
【０００２】
従来、セキュリティの確保を必要とする保安区画に入室する人、あるいは保安区画から退室する人を管理して、セキュリティの向上を図るようにした種々の入退室管理装置が実用化されている。このような入退室管理装置では、入室しようとする人あるいは退室しようとする人が、入退室を許可された人であるか否かを認証する認証システムを備え、その認証システムにより認証された人に限り、保安区画に対する入退室を可能としている。
【０００３】
認証システムとして、入退室を許可された人に個人識別情報を記録したＩＤカードを所持させ、そのＩＤカードを読み取り装置で読み取って識別するシステムがある。また、個人識別情報を特定する手段として二次元コードを使用した認証システムや、生体認識装置を使用した認証システムも提案されている。
【０００４】
特許文献１には、一定強度以上の磁界強度を検出して識別信号を発信するアクティブＲＦタグによる認証システムを備えた入退室管理システムが開示されている。
【先行技術文献】
【特許文献】
【０００５】
【特許文献１】特開２０１５−１４１６４０号公報
【発明の概要】
【発明が解決しようとする課題】
【０００６】
上記のような入退室管理装置では、例えばＩＤカードを読み取り装置にかざして入退室しようとする人を識別することはできる。しかし、認証システムで認証された人と同時に入退室しようとする人を完全に排除することはできず、セキュリティを十分に確保することはできない。
【０００７】
この発明の目的は、セキュリティの向上を図り得る入退室管理装置を提供することにある。
【課題を解決するための手段】
【０００８】
上記課題を解決する入退室管理装置は、セキュリティの確保を必要とする保安区画に対し入退室しようとする判定対象者を撮像して、画像解析により人数を検出する第一の検出装置と、前記判定対象者に取着したカラーバーコードを読み取って、前記保安区画に対し入退室しようとする前記判定対象者の人数を検出する第二の検出装置と、前記第一の検出装置で検出した人数と、前記第二の検出装置で検出した人数が一致する場合に限り、前記保安区画への入退室を許容する扉開閉装置とを備えた。
【０００９】
この構成によれば、第一の検出装置で画像解析により検出された判定対象者の人数と、第二の検出装置でカラーバーコードの読み取りにより検出された判定対象者の人数が一致した場合に限り、保安区画に対する入退室が可能となる。
【発明の効果】
【００１０】
本発明の入退室管理装置によれば、セキュリティの向上を図ることができる。
【図面の簡単な説明】
【００１１】
【図１】一実施形態を示すブロック図。
【図２】一実施形態の前室を示す概要図。
【図３】一実施形態の制御部の動作を示すフローチャート。
【図４】一実施形態の制御部の動作を示すフローチャート。
【発明を実施するための形態】
【００１２】
以下、入退室管理装置の一実施形態を図面に従って説明する。
この実施形態の入退室管理装置は、例えば工場等の保安区画に入退室しようとする人（判定対象者）が入退室を許可された人であるか否かを管理する装置である。図２に示すように、あらかじめ入退室を許可された判定対象者Ｍは、正面及び背面にカラーバーコードＣＢを取着している。
【００１３】
図１に示すように、入退室管理装置は、集中管理室等に設置される制御部１にＬＡＮシステム及び第一及び第二のハブ２，３を介して複数台のネットワークカメラ４ａ，４ｂ，５ａ，５ｂに接続されている。
【００１４】
図２に示すように、ネットワークカメラ４ａ，４ｂ，５ａ，５ｂは、前室６に設置される。前室６は、例えば工場等において、更衣室と工場内との間に介在される部屋である。そして、更衣室への入退扉７と、工場内への入退扉８が設置されている。
【００１５】
ネットワークカメラ４ａは入退扉７の近傍に設置され、更衣室と前室６との間で入退室する判定対象者Ｍを撮像し、その撮像データを制御部１に送信する。ネットワークカメラ４ｂは入退扉８の近傍に設置され、工場内と前室６との間で入退室する判定対象者Ｍを撮像し、その撮像データを制御部１に送信する。
【００１６】
ネットワークカメラ５ａは、入退扉７の近傍に設置されて、前室６内を全体的に撮像し、その撮像データを制御部１に送信する。ネットワークカメラ５ｂは、入退扉８の近傍に設置されて、前室６内を全体的に撮像し、その撮像データを制御部１に送信する。そして、ネットワークカメラ５ａ，５ｂにより前室６内の全域を撮像可能となっている。
【００１７】
図１に示すように、制御部１には第一のハブ２を介して接点変換装置９が接続されている。接点変換装置９には電気錠コントローラ１０ａ，１０ｂが接続され、電気錠コントローラ１０ａ，１０ｂには電気錠１１ａ，１１ｂがそれぞれ接続されている。電気錠１１ａは、更衣室側の入退扉７を開錠あるいは施錠するための電気錠であり、電気錠１１ｂは工場側の入退扉８を開錠あるいは施錠するための電気錠である。電気錠１１ａは、電気錠コントローラ１０ａにより開閉制御され、電気錠１１ｂは電気錠コントローラ１０ｂにより開閉制御される。
【００１８】
そして、接点変換装置９は制御部１により制御されて、制御部１から出力される制御信号を電気錠コントローラ１０ａ，１０ｂのいずれかに出力する。
制御部１には、第一のハブ２を介してタブレット端末１２が接続されている。図２に示すように、タブレット端末１２は、前室６の壁面に設置されるとともに、タッチパネル機能を備え、前室６に入室した判定対象者Ｍにより操作可能となっている。
【００１９】
前室６の外側で、入退扉７，８の近傍には開錠スイッチ（図示しない）が設置され、前室６に入室しようとする判定対象者Ｍは開錠スイッチを操作することにより、入退扉７，８を開錠可能となっている。
【００２０】
図２に示すように、判定対象者Ｍは正面及び背面にカラーバーコードＣＢを取着している。カラーバーコードＣＢは、各判定対象者ＭのＩＤ情報が記録され、制御部１はネットワークカメラ５ａ，５ｂの撮像データからカラーバーコードＣＢを検出することにより、前室６内の各判定対象者Ｍが入室を許容された人であるか否かと、前室６に入室している人数を識別可能となっている。なお、判定対象者Ｍの背面のカラーバーコードＣＢは、例えば１３ｃｍ×１３ｃｍの大きさであり、正面のカラーバーコードＣＢは７ｃｍ×７ｃｍの大きさで形成されている。
【００２１】
制御部１は、あらかじめ設定されたプログラムに基づいて動作する。そして、ネットワークカメラ４ａ，４ｂの撮像データに基づいて、更衣室から前室６に入室した人数と、前室６から更衣室に退室した人数と、前室６から工場内に退室した人数と、工場内から前室６に入室した人数とをカウントする入退室者カウント機能を備えている。
【００２２】
また、制御部１はネットワークカメラ５ａ，５ｂの撮像データに基づいて、前室６に入室している判定対象者Ｍの人数をカウントする室内人数識別機能を備えている。
そして、更衣室から前室６に入室した人数と、前室６内で識別された人数とが一致した場合に限り、工場に通じる入退扉８を開錠する機能を備えている。同様に、工場から前室６に入室した人数と、前室６内で識別された人数とが一致した場合に限り、更衣室に通じる入退扉７を開錠する機能を備えている。
【００２３】
また、制御部１は前室６内の判定対象者Ｍの人数及びＩＤ情報が正常であるか否かを判定した結果をタブレット端末１２に表示する機能を備えている。そして、前室６内の判定対象者Ｍの人数及びＩＤ情報が正常でない場合には、前室６からの退出と、前室６内への再入室による再判定を促す表示を行う。
【００２４】
また、制御部１は更衣室から前室６を経て工場内に入室した判定対象者Ｍ及び工場内から前室６を経て更衣室に退室した判定対象者ＭのＩＤ情報をすべて格納する記憶部を備えている。
【００２５】
次に、上記のように構成された入退室管理装置の作用を説明する。
図３は、判定対象者Ｍが更衣室から前室６を経て工場内に移動する場合の動作を示す。判定対象者Ｍが入退扉７の近傍の開錠スイッチを操作して入退扉７を開き、前室６に入室すると（ステップ１）、判定対象者Ｍの撮像データがネットワークカメラ４ａから制御部１に出力される。
【００２６】
すると、制御部１ではネットワークカメラ４ａから入力された撮像データを画像解析して、前室６に入室した判定対象者Ｍの人数をカウントする（ステップ２）。
判定対象者Ｍの入室から一定時間経過すると、制御部１は入退扉７を閉じるとともに入退扉８も閉じた状態に維持する（ステップ３）。この状態で、ネットワークカメラ５ａ，５ｂの撮像データからカラーバーコードＣＢを検出して、前室６内に入室している判定対象者ＭのＩＤ情報を確認し、かつ判定対象者Ｍの人数をカウントする（ステップ４）。
【００２７】
次いで、ネットワークカメラ４ａの撮像データに基づいてカウントされた判定対象者Ｍの人数と、カラーバーコードＣＢの検出に基づいてカウントされた判定対象者Ｍの人数とが一致するか否かを検出する（ステップ５）。
【００２８】
ステップ５で、入室した判定対象者Ｍの人数と、カラーバーコードＣＢの検出によりカウントされた判定対象者Ｍの人数が一致し、かつ判定対象者ＭのＩＤ情報が正常であると、制御部１は、入退扉８を開き、入退扉７は閉じた状態に維持する（ステップ６）。
【００２９】
そして、前室６内の判定対象者Ｍが入退扉８から工場内に移動すると、制御部１はネットワークカメラ４ｂの撮像データに基づいて工場内に移動した判定対象者Ｍの人数をカウントする（ステップ７）。
【００３０】
判定対象者Ｍの退室から一定時間後に、制御部１は入退扉８を閉じ（ステップ８）、ネットワークカメラ５ａ，５ｂの撮像データからカラーバーコードＣＢを検出して、前室６内に残留している判定対象者Ｍをカウントする（ステップ９）。そして、ネットワークカメラ４ｂの撮像データと、ネットワークカメラ５ａ，５ｂの撮像データに基づいて、前室６から工場内に移動した判定対象者ＭのＩＤ情報を記録して（ステップ１０）、判定動作を終了する。
【００３１】
ステップ５で、前室６に入室した判定対象者Ｍの人数と、カラーバーコードＣＢの検出によりカウントされた判定対象者Ｍの人数が一致しない場合には、カラーバーコードＣＢを所持しない不審者が存在する可能性がある。この場合には、制御部１はタブレット端末１２に更衣室への退室を促すメッセージを表示する。
【００３２】
そして、判定対象者Ｍがタブレット端末１２を操作して入退扉７の開錠し、前室６から更衣室に退室する（ステップ１１）。この後、判定対象者Ｍは開錠スイッチを操作して再度前室６に入室すると、工場に入室可能であるか否かが再度判定される。
【００３３】
図４は、判定対象者Ｍが工場内から前室６を経て更衣室に移動する場合の動作を示す。判定対象者Ｍが入退扉８の近傍の開錠スイッチを操作して入退扉８を開き、前室６に入室すると（ステップ２１）、判定対象者Ｍの撮像データがネットワークカメラ４ｂから制御部１に出力される。
【００３４】
すると、制御部１では前室６に入室した判定対象者Ｍの人数をカウントする（ステップ２２）。
判定対象者Ｍの入室から一定時間経過すると、制御部１は入退扉８を閉じるとともに入退扉７も閉じた状態に維持する（ステップ２３）。この状態で、ネットワークカメラ５ａ，５ｂの撮像データからカラーバーコードＣＢを検出して、前室６内に入室している判定対象者ＭのＩＤ情報を確認し、かつ判定対象者Ｍの人数をカウントする（ステップ２４）。
【００３５】
次いで、ネットワークカメラ４ｂの撮像データに基づいてカウントされた判定対象者Ｍの人数と、カラーバーコードＣＢの検出に基づいてカウントされた判定対象者Ｍの人数とが一致するか否かを検出する（ステップ２５）。
【００３６】
ステップ２５で、入室した判定対象者Ｍの人数と、カラーバーコードＣＢの検出によりカウントされた判定対象者Ｍの人数が一致すると、制御部１は、入退扉７を開き、入退扉８は閉じた状態に維持する（ステップ２６）。
【００３７】
そして、前室６内の判定対象者Ｍが入退扉７から更衣室に移動すると、制御部１はネットワークカメラ４ａの撮像データに基づいて更衣室に移動した判定対象者Ｍの人数をカウントする（ステップ２７）。
【００３８】
判定対象者Ｍの退室から一定時間後に、制御部１は入退扉７を閉じ（ステップ２８）、ネットワークカメラ５ａ，５ｂの撮像データからカラーバーコードＣＢを検出して、前室６内に残留している判定対象者Ｍをカウントする（ステップ２９）。そして、ネットワークカメラ４ａの撮像データと、ネットワークカメラ５ａ，５ｂの撮像データに基づいて、前室６から更衣室に移動した判定対象者ＭのＩＤ情報を記録して（ステップ３０）、判定動作を終了する。
【００３９】
ステップ２５で、前室６に入室した判定対象者Ｍの人数と、カラーバーコードＣＢの検出によりカウントされた判定対象者Ｍの人数が一致しない場合には、カラーバーコードＣＢを所持しない不審者が存在する可能性がある。この場合には、制御部１はタブレット端末１２に工場内への退室を促すメッセージを表示する。
【００４０】
そして、判定対象者Ｍがタブレット端末１２を操作して入退扉８の開錠し、前室６から工場に退室する（ステップ３１）。この後、判定対象者Ｍは開錠スイッチを操作して再度前室６に入室すると、更衣室に入室可能であるか否かが再度判定される。
【００４１】
上記のような入退室管理装置では、次に示す効果を得ることができる。
（１）入退扉７若しくは入退扉８から前室６に入室する判定対象者Ｍの人数を、第一のネットワークカメラ４ａ，４ｂの撮像データに基づいて制御部１で画像解析することにより検出することができる。
（２）更衣室から前室６に入室した各判定対象者Ｍが入室許容者としてそれぞれ取着しているカラーバーコードＣＢを、第二のネットワークカメラ５ａ，５ｂで読み取ることにより、各判定対象者ＭのＩＤ情報と入室した判定対象者Ｍの人数を検出することができる。
（３）工場内から前室６に入室した各判定対象者Ｍが入室許容者としてそれぞれ取着しているカラーバーコードＣＢを、第二のネットワークカメラ５ａ，５ｂで読み取ることにより、各判定対象者ＭのＩＤ情報と入室した判定対象者Ｍの人数を検出することができる。
（４）更衣室から前室６に入室した判定対象者Ｍについて、第一のネットワークカメラ４ａで検出した入室者数と、カラーバーコードＣＢを読み取ることにより検出された人数とが一致したときに限り、当該判定対象者Ｍの前室６から工場内への移動が許容される。従って、入室があらかじめ許容された判定対象者Ｍ以外の不審者の工場内への侵入を阻止することができる。
（５）工場から前室６に入室した判定対象者Ｍについて、第一のネットワークカメラ４ｂで検出した入室者数と、カラーバーコードＣＢを読み取ることにより検出された人数とが一致したときに限り、当該判定対象者Ｍの前室６から更衣室への移動が許容される。従って、工場からの不審者の退出を阻止することができる。
（６）更衣室から前室６を経て工場内に入室した判定対象者Ｍ及び工場内から前室６を経て更衣室に退室した判定対象者ＭのＩＤ情報をすべて制御部１に記録して保持することができる。
【００４２】
上記実施形態は、以下の態様で実施してもよい。
・ネットワークカメラの台数は、前室の形状や入退扉の数により適宜変更してもよい。
・タブレット端末にサーバーの機能を併せ持つようにしてもよい。
・工場内への入室が、前室６を経由してのみ可能であって、更衣室から工場内への不審者の侵入を阻止することができれば、工場から更衣室への不審者の退室は発生しなくなる。従って、工場から更衣室への不審者の退出を阻止する機能を省略してもよい。
【符号の説明】
【００４３】
１…第一の検出装置（第二の検出装置、扉開閉装置、記憶部、制御部）、４ａ，４ｂ…第一の検出装置（第一の撮像装置、ネットワークカメラ）、５ａ，５ｂ…第二の検出装置（第二の撮像装置、ネットワークカメラ）、６…前室、７…第一の入退扉、８…第二の入退扉、１１ａ，１１ｂ…扉開閉装置（電気錠）。
【図１】
2017173890.tif 000003
【図２】
2017173890.tif 000004
【図３】
2017173890.tif 000005
【図４】
2017173890.tif 000006